(57)【要約】      （修正有）【課題】  防虫性、耐腐食性、耐熱性、安定性に優れ、クッション性も加味し、湾曲にも対応でき、畳の空気の流通をも良くし、効能を老齢者にも与えることができる桐板平マユ形式の薄畳を提供する。【解決手段】  最上面にイグサ畳表１を設け、その下に、絹の平マユ３にて形成され、平マユ３の上面をシルクマット２にて覆って縛り、その絹の平マユ３の底に９ミリの厚さの桐板４を設け、その下をヤシ繊維５と発泡スチロール６にて絹糸綴じ紐７にて一体に縛り、結束された薄畳の表、裏、側面を絹糸の縫い糸１０にて畳縁１１を一体に包含し、シルクマット形態にして包み込み構成する。更に、桐板４平マユ３形式の薄畳の間にはシルクセラミック差込穴８を構築し、差込穴８にはシルクセラミックが差込まれる。かかるシルクセラミック差込穴８はイグサ畳み表１の下に構築される。【選択図】図１
2007154633.tif 000002
【特許請求の範囲】
【請求項１】
最上面にイグサ畳表を設け、その下に、絹の平マユにて形成され、形成高さを３センチの厚さを維持させながら、絹の平マユの間に隙間が無い形にして並べ、平マユの上面をシルクマットにて縛り、互いに隙間無く、一重形態にして密着配置させ、その絹の平マユの底に９ミリの厚さの桐板を設け、その下をヤシ繊維と発泡スチロールにて絹糸綴じ紐にて縛り、結束された薄畳の表、裏、側面を絹糸の綴じ紐にて一体に包含し、シルクマット機能形態にして包み込み、絹の平マユと桐板を主体として形成させることができることを特徴とする桐板平マユ形式の薄畳。
【請求項２】
請求項１の平面に構成された桐板平マユ形式の薄畳の上面、下面の針穴の隙間の間に、シルクセラミック差込穴を平マユとシルクマットの間に配分し構築し、シルクセラミック差込穴をイグサ畳み表の下に構築し、差込穴にはシルクセラミックを差し込み遠赤外線を放射、保蓄する機能を構成させたことを特徴とする請求項１記載の桐板平マユ形式の畳表。
【請求項３】
請求項１にて構成された桐板平マユ形式の薄畳全体を、更に、イグサ畳表、並びに畳縁により畳形式にて組み合わせ構成されることを特徴とする請求項１記載の桐板平マユ形式の薄畳。
【発明の詳細な説明】
【技術分野】
【０００１】  本発明は、丹後チリメン織物産地にて、後練織物（生絹織物）の束状の絹糸として取得することができる絹のセリシン、タンパクの特長を生かして、組み合わされる桐の強板と絹糸の弾力を生かし、これを畳の上に使用する場合と、床板の上にクッション形式にして畳表を取り付ける場合の桐板平まゆ形式の理想的な薄畳に関する。
【背景技術】
【０００２】  従来の出願されている形成方法としては、桐材からなる集成材の表裏面に同じく桐材からなる単板を一体に積層してなる芯材を形成し、この心材の表裏面にクッション性を有する一定厚みのシート状保護材を積層すると共に、裏面側のシート状保護材に防湿シートを張設し、全体の厚みを１０〜１２ミリに形成した構造となっている。【０００３】  この出願の畳床の構造によれば、請求項１に記載されている様に、桐材からなる集成材の表裏面に、同じく桐材からなる単板を一体に配分積層して畳床の心材を形成しているので、桐材が部分的に配分され、軽量で取扱性が良く、その上、桐材は防虫性、耐腐食性、耐熱性に優れていると共に、収縮率も少ないので寸法安全性においても優れており、さらに、この鋼材からなる芯材は集成材の表裏面に単体を一体に積層した三層構成となっている。【０００４】  従って、この出願の図２によれは、芯材（桐材）はシート保護材３及び４に、又クッション材９に桐材を重ね合わせ形成させたものである。【０００５】  この改善を更に図るため、本発明では絹糸束１２に相当する束絹糸を平まゆ形態に３ミリ高さにて形成させ、その下に９ミリ厚みの一体の桐の板を一層にて構着させ、表面はソフトであるが全体は曲げの無い、腰の確りした効力のある畳表を構築させたものである。【０００６】
【技術文献１】
特開２００４−１１３２３号公報（請求項１、００２６、図２）
【発明の開示】
【発明が解決しようとする課題】
【０００７】  しかしながら、先に発明されているこの技術によれば、全体の厚みを１０〜１２ミリに形成した構造とし、さらに、この桐材からなる芯材は桐材の表裏面に単体一体に積層し、桐材が三層構成となっている。【０００８】  解決しようとする課題は、先に発明されている技術では、この芯材としての寸法変化が一層、制御される上に、薄畳用の薄肉芯材としての十分な剛性を備えなければならず、下地に不陸があっても下地に押しつける事によって亀裂や割れを生じることなく、不陸に応じた修正が可能となる作用機能により段差を生じさせること無く敷設することも出来なければならない。しかも、バリアーフリーに適した薄畳用畳床及びこの畳床を用いた薄畳に関するものであるとも述べている。【０００９】  先に発明されている技術では、施工性が容易であると共に、つまづきが生じ易い段階をなくして老齢者が安全に歩行できるバリアフリーに適した薄畳を提供することができたが、桐材からなる集成材の表裏面に、同じく桐材からなる単板を一体に積層して芯材を散布形成させて全体の厚みを１０〜１２ミリにて形成させるため、即ち、設置させる床表がクッション性を有するために、曲げられたり、場合によっては捻られたりする場合も考えられる。【００１０】  本出願はこのような問題点を鑑みてなされたもので、その目的とするところは同じであっても、別な構造機能を有するために、床面に対する馴致性もあり、非平面的な床面に置いた場合にも、床面の段差、凹凸にも適した薄畳用畳床及び薄畳を提供することにある。
【課題を解決するための手段】
【００１１】  本発明は上記目的を達成するために、第１の目的として薄畳の中段に、約９ミリ厚さの厚い桐板４を置き、その上に約３センチの平マユ層にて設置し、更に、その上に天然の絹綿にて構成する薄いシルクマットにて覆い形成させる事により、上面にクッション性を加味し、非平面的な床面にも対応出来る手段をも付加したものである。【００１２】  また、第２の目的を達成させるための技術的手段として、出願人は平成１６年７月に「生糸束状形式の巻き布並びに畳表」にて特許願を提出している。【００１３】  上述特許願のうち、構造的に本出願に近いものは請求項１、請求項２、及び、請求項３に記載され、図３が本出願に最も近い出願となっている。【００１４】  上記先願された特許出願は下記の通りで、一部の点で類似している。即ち、
部屋の床全面に和室畳形式にして使用する生糸束状形態の畳として、丹後絹織物等に使用されている２１中絹糸３８００本無撚糸にて形成される絹糸束１２を並べて絹糸束ね糸１３にて束ね、その下にヤシ繊維シート３ｃを重ね合わせて敷き、この上面、底面、側面に薄い無製織のシルク不織布シート７ａ、７ｂにて囲み、発泡プラスチックボード４ａの上に畳表縫い糸１０にて縛り、上面、側面部分を葦草畳表１にて覆った軽量畳床を形成させることにより、丹後絹織物等に使用されている２１中絹糸３８００本無撚糸にて形成される絹糸束１２を並べたことにより得られる効果を強く和室畳に付加させたものである。
【発明の効果】
【００１５】  この発明により、桐板平マユ形式の桐板と平まゆのクッション性と発泡材の特性を加味させたことにより
（１）桐の木を表面を焼くためにバーナーで焼き付ける。その動作によって桐が腐らない、炭化しない状態にして、平マユを桐の上にセリシンのノリにて張り付ける。かかる方式にて構成させたことにより、万一下から火が発生する状態になっても、炎が立たない火災に強い畳となる。
（２）上からタバコにて火をつけても、下が発泡スチロールにて遮られ、下には届かない安全性を確保させることができる。
（３）机とか椅子等の家具類を置いても凹ませない。
（４）部屋の水分を調整してくれ、腰痛にもすぐに対応でき、空気の流通がよく、ムレ無く、冷やさない効果をも与えることができる。
（５）本発明の桐平まゆ形式の薄畳の商品として、更にカバーをかぶせ、新しい商品として形成させることにより、種々の図柄染めの模様も構成でき、畳に付けたり外したりすることによっても畳表に種々の図柄染め模様ができ、冬とか夏とか選択しても種々使用することもできる。
（６）とにかく、どろをかぶっても洗うこともでき、再び畳として使用することができる。
（７）本発明のセラミック差込穴に本特許の出願人が特許出願した「シルクセラミック岩石」をも挿入することも出来る。
（８）本発明においてシルクセラミックを使用する場合には、シルクセラミックの中にゲルマニウムの入った土を土で焼き上げて使用する。
等、今までにない効果を得ることができる。
【発明を実施するための最良の形態】
【００１６】  本発明の絹糸を使用した最良の桐と平まゆ形式の薄畳の形にするために、構成する平マユは、平マユ自体を選択形成して、或いは絹糸束状の糸にて３センチの厚さにて開板状にて形成する。
【作用】
【００１７】  また、本発明における作用としては、
（１）桐の表面を焼く一部が炭化する炭みが匂いを取るために焼き上げる。即ち、防腐剤の役割をさせる。
（２）ノリを造るときにひばの木酢を入れてセリシンの腐りをとる。即ち、空気の流通度合いが高いセリシンをノリとして使う。
（３）平面に絹を置くと云うことは、炭化した墨状のものを上に上げない為に使用することである。
桐板平まゆ形式の薄畳の芯材は桐材からなるため、軽量で取扱性が良く、防虫性、耐腐食性、断熱性に優れていると共に、収縮率も少なく、寸法安定性も優れている。また、万一の廃棄処理も容易となるため、使用管理し易い。
【実施例１】
【００１８】  本発明の実施例１を詳細に説明する。【００１９】  図１は本発明の桐板平マユ形式の薄畳として９ミリの桐板４を使用し、その上に平マユ形式３の３センチ構造にて装着し、桐板４の下面をヤシ繊維５及び化学繊維である発泡スチロール６にて装着し、桐板４の上面を天然の絹綿にて構成するシルクマット２にてセットさせ、その最上面をイグサ畳表１にて覆い構成させる。桐板４の下面にはヤシ繊維５及び化学繊維である発泡スチロール６を装着させる。【００２０】  上述された構造にて構成させる桐板平マユ形式の薄畳の厚さは桐板９ミリと平マユ３センチにて遵守され、維持され、本発明は３センチの平マユ薄板を基準とし構成させるが、全体の板厚の形式を７センチの平マユ薄板二段形式の板厚形式にて構成させる。また、桐板を９ミリよりも厚くし平マユと構成させることも可能である。上記は本発明の一段形式の全体構成側面図を示す。【００２１】  上記の桐板平マユ形式の薄畳には図２の平面図に示すように、イグサ畳表１の裏面のシルクマット２及び平マユ３には１０センチ間隔にて遠赤外線を放射、保蓄することが出来るシルクセラミックを差し込む穴９を設置し、平面図２に示すように綴じ紐７と交互に配分された形式にて構築される。【００２２】  一方、図１の形態にて構成された桐板平マユ形式の薄畳に、その上にもう一つのハイパーシルク加工したシルク毛布を用い、実施例１にて構成された桐平マユ形式の薄畳の上に、更に取外しが出来る状態でカバーにすることこともでき、ハイパー毛布は毛玉にならなくて丸洗いができ、従来の毛布とは違って、今までに無い効果を得るこもできる。
【産業上の利用可能性】
【００２３】  本発明は  本発明の産業上の利用可能性を十分に考慮しながら、無精錬にてセリシン、タンパクの特徴を十分に生かして構成させるのか、ハイパーシルク方式にて構成させるために絹糸を精錬し、無撚糸又は撚糸にて構成させるのか、産業上の利用可能性を十分に考慮させ実施させることが必要である。
【図面の簡単な説明】
【００２２】
【図１】桐板平マユ形式の薄畳の実施例１断面図
【図２】桐板平マユ形式の薄畳の実施例１平面図
【符号の説明】
【００２３】１：イグサ畳み表
２：シルクマット
３：平マユ
４：桐板
５：ヤシ繊維
６：発泡スチロール
７：綴じ紐
８：シルクセラミック差込穴
９：針穴
１０：縫い糸
１１：畳縁
【図１】
2007154633.tif 000003
【図２】
2007154633.tif 000004